(57)【要約】【課題】  機器本体１にスピーカボックス２を着脱可能に連結して構成され、スピーカボックス２は開閉操作の可能な扉３を具えているオーディオ機器において、別部品を用いることなく機器本体１にスピーカボックス２を容易に連結する。【解決手段】  本発明に係るオーディオ機器において、機器本体１とスピーカボックス２の対向部には、機器本体１とスピーカボックス２を一方向の相対移動が可能に互いに連結するフック23及び開口13からなる連結構造が設けられている。又、扉３と機器本体１の対向部には、扉３を閉じることにより互いに係合して機器本体１とスピーカボックス２を前記一方向の相対移動が不能に拘束する突片32及び凹部14からなる係合構造が設けられている。【選択図】      図４
2005295434.tif 000002
【特許請求の範囲】
【請求項１】
機器本体(１)にスピーカボックス(２)を着脱可能に連結して構成され、スピーカボックス(２)は開閉操作の可能な扉(３)を具えているオーディオ機器において、機器本体(１)とスピーカボックス(２)との対向部には、機器本体(１)とスピーカボックス(２)を一方向の相対移動が可能に互いに連結する連結構造が設けられ、閉じた状態の扉(３)と機器本体(１)との対向部には、扉(３)を閉じることによって互いに係合して機器本体(１)とスピーカボックス(２)を前記一方向の相対移動が不能に拘束する係合構造が設けられていることを特徴とするオーディオ機器。
【請求項２】
前記連結構造は、機器本体(１)とスピーカボックス(２)の対向面の何れか一方に突設された１或いは複数のフック(23)と、前記対向面の他方に開設されて前記フック(23)が係合する１或いは複数の開口(13)とから構成されて、フック(23)は開口(13)内で上下方向に相対移動が可能である請求項１に記載のオーディオ機器。
【請求項３】
前記係合構造は、機器本体(１)の端部と扉(３)の端部の何れか一方に設けられた突片(32)と、他方の端部に形成された凹部(14)とから構成され、該突片(32)が凹部(14)に係合した状態で機器本体(１)とスピーカボックス(２)は上下方向の相対移動が不能となる請求項２に記載のオーディオ機器。
【請求項４】
前記扉(３)は、スピーカボックス(２)の背面に凹設された収容室(22)を開閉するものであって、機器本体(１)とは反対側の端部に枢支され、扉(３)の機器本体(１)側の端部に、前記突片(32)が形成される一方、機器本体(１)の側面(16)に前記凹部(14)が形成されている請求項３に記載のオーディオ機器。
【請求項５】
スピーカボックス(２)には、前記扉(３)を閉じ状態にロックするためのロック機構が配備されている請求項１乃至請求項４の何れかに記載のオーディオ機器。
【発明の詳細な説明】
【技術分野】
【０００１】
本発明は、ラジオ放送受信機やＣＤプレーヤ等のオーディオ機器に関するものである。
【背景技術】
【０００２】
従来、機器本体の両側部に左右一対のスピーカボックスを着脱可能に連結して構成されるオーディオ機器が知られている(例えば特許文献１参照)。
例えば図７に示すオーディオ機器においては、機器本体(４)に対して一対のスピーカボックス(５)(５)がステー(６)を用いて連結されており、該ステー(６)を取り外すことによって、機器本体(４)に対するスピーカボックス(５)(５)の連結を切り離すことが出来る。
【特許文献１】特開平７−３２２３８０号公報［H04R1/02］
【発明の開示】
【発明が解決しようとする課題】
【０００３】
しかしながら、図７に示す従来のオーディオ機器においては、ステー(６)を用いて機器本体(４)の両側にスピーカボックス(５)(５)を連結する作業が困難であるばかりでなく、ステー(６)が必要となるために部品点数が増えて、コストアップを招く問題があった。
そこで本発明の目的は、従来のステーの如き別部品を用いることなく、機器本体にスピーカボックスを容易に連結することが出来るオーディオ機器を提供することである。
【課題を解決するための手段】
【０００４】
本発明に係るオーディオ機器は、機器本体(１)にスピーカボックス(２)を着脱可能に連結して構成され、スピーカボックス(２)は開閉操作の可能な扉(３)を具えている。
機器本体(１)とスピーカボックス(２)との対向部には、機器本体(１)とスピーカボックス(２)を一方向の相対移動が可能に互いに連結する連結構造が設けられ、閉じた状態の扉(３)と機器本体(１)との対向部には、扉(３)を閉じることによって互いに係合して機器本体(１)とスピーカボックス(２)を前記一方向の相対移動が不能に拘束する係合構造が設けられている。
【０００５】
上記本発明のオーディオ機器においては、スピーカボックス(２)の扉(３)を開いた状態で、機器本体(１)にスピーカボックス(２)を対向させ、その対向部に設けられた連結構造を係合状態とすることによって、機器本体(１)とスピーカボックス(２)とが互いに連結される。但し、該連結状態においては、機器本体(１)とスピーカボックス(２)とは互いに一方向の相対移動が可能であり、確実な連結状態とはなっていない。
次に、スピーカボックス(２)の扉(３)を閉じる。これによって、機器本体(１)とスピーカボックス(２)の扉(３)との対向部に設けられた係合構造が係合状態となって、機器本体(１)とスピーカボックス(２)は前記一方向の相対移動が不能に拘束される。
この結果、機器本体(１)とスピーカボックス(２)は、何れの方向にも相対移動が不能となって、確実な連結状態が実現される。
【０００６】
具体的構成において、前記連結構造は、機器本体(１)とスピーカボックス(２)の対向面の何れか一方に突設された１或いは複数のフック(23)と、前記対向面の他方に開設されて前記フック(23)が係合する１或いは複数の開口(13)とから構成されて、フック(23)は開口(13)内で上下方向に相対移動が可能である。
又、前記係合構造は、機器本体(１)の端部と扉(３)の端部の何れか一方に設けられた突片(32)と、他方の端部に形成された凹部(14)とから構成され、該突片(32)が凹部(14)に係合した状態で機器本体(１)とスピーカボックス(２)は上下方向の相対移動が不能となる。
【０００７】
該具体的構成においては、スピーカボックス(２)の扉(３)を開いた状態で、機器本体(１)にスピーカボックス(２)を対向させ、フック(23)を開口(13)に係合せしめる。これによって、機器本体(１)とスピーカボックス(２)とが互いに連結される。但し、該連結状態においては、機器本体(１)とスピーカボックス(２)とは互いに上下方向の相対移動が可能であり、確実な連結状態とはなっていない。
次に、スピーカボックス(２)の扉(３)を閉じる。これによって、突片(32)が凹部(14)と係合し、機器本体(１)とスピーカボックス(２)は上下方向の相対移動が不能に拘束される。
この結果、機器本体(１)とスピーカボックス(２)は、何れの方向にも相対移動が不能となって、確実な連結状態が実現される。
【０００８】
更に具体的な構成において、前記扉(３)は、スピーカボックス(２)の背面に凹設された収容室(22)を開閉するものであって、機器本体(１)とは反対側の端部に枢支され、扉(３)の機器本体(１)側の端部に、前記突片(32)が形成される一方、機器本体(１)の側面(16)に前記凹部(14)が形成されている。
該具体的構成によれば、スピーカケーブル等の収容室(22)を開閉するための扉(３)を利用して、機器本体(１)とスピーカボックス(２)の間の連結を行なうことが出来る。
【発明の効果】
【０００９】
本発明に係るオーディオ機器によれば、先ず連結構造によって機器本体(１)にスピーカボックス(２)を連結する作業においては、機器本体(１)とスピーカボックス(２)とを互いに一方向の相対移動が可能な状態に連結するに過ぎないので、その作業は容易である。次に扉(３)を閉じれば、それに伴って係合構造が係合状態となり、機器本体(１)とスピーカボックス(２)は何れの方向にも相対移動不能に拘束されるので、特別な連結作業は不要である。従って、従来のステー等を用いた連結構造よりも連結作業が容易となる。
又、連結構造は、機器本体(１)とスピーカボックス(２)との対向部に一体成型によって設けると共に、係合構造は、扉(３)と機器本体(１)との対向部に一体成型によって設けることが出来、従来のステーの如き別部品は不要であるので、部品点数が少なくなり、これによってコストダウンを図ることが出来る。
【発明を実施するための最良の形態】
【００１０】
以下、本発明をディスクプレーヤに実施した形態につき、図面に沿って具体的に説明する。
本発明に係るディスクプレーヤは、図１及び図２に示す如く、機器本体(１)の両側に左右一対のスピーカボックス(２)(２)を着脱可能に連結して構成され、機器本体(１)の底部にはスタンド(10)が取り付けられている。
【００１１】
機器本体(１)の上面には複数の操作釦(11)が配備され、機器本体(１)の前面には、ディスク装着部(15)が設けられると共に、該ディスク装着部(15)を覆うための開閉蓋(12)が配備され、操作釦(11)の操作によって開閉蓋(12)を開閉させることが出来る。
【００１２】
図２及び図３に示す如く、各スピーカボックス(２)の背面には、その背面の略全体を覆うことが可能な扉(３)が、開閉操作可能に配備されている。
扉(３)は、図４及び図５に示す如く、スピーカボックス(２)の背面に凹設されたケーブル収容室(22)を開閉するものであって、スピーカボックス(２)の機器本体(１)とは反対側の端部に設けられた枢支部(30)により垂直軸回りに回転可能に枢支されている。
尚、スピーカボックス(２)のケーブル収容室(22)には、スピーカボックス(２)から伸びるスピーカケーブル(図示省略)を収容することが出来る。
【００１３】
スピーカボックス(２)には、扉(３)の自由端側の端部に弾性フック(31)が形成されると共に、該弾性フック(31)との対応位置に、該弾性フック(31)の端部が係合すべき孔(24)が開設されており、扉(３)を閉じることによって弾性フック(31)の端部が孔(24)に係合して、扉(３)が閉じ状態にロックされる。又、弾性フック(31)を操作してロックを解除することにより、扉(３)を開くことが可能となる。
【００１４】
スピーカボックス(２)には、機器本体(１)と対向する側面(21)に、上下一対のフック(23)(23)が突設されている。各フック(23)は、下方に開口した逆Ｕ字状の形状を有している。一方、機器本体(１)には、スピーカボックス(２)と対向する側面(16)に、前記一対のフック(23)(23)が係合すべき上下一対の開口(13)(13)が形成されている。尚、各開口(13)は、フック(23)が上下に余裕をもって侵入可能な縦長矩形状に形成されている。
【００１５】
又、スピーカボックス(２)の扉(３)には、機器本体(１)側の端部に、機器本体(１)の側面(16)に向かって突出する突片(32)が形成されている。一方、スピーカボックス(２)の側面(16)には、機器本体(１)にスピーカボックス(２)が連結された状態で扉(３)の突片(32)が係合可能な凹部(14)が形成されている。尚、凹部(14)は、突片(32)の先端部が上下方向に緊密な状態で嵌入可能な高さ寸法に形成されている。
【００１６】
機器本体(１)にスピーカボックス(２)を連結する作業においては、先ず、図４の如くスピーカボックス(２)の扉(３)を開き、この状態で、機器本体(１)にスピーカボックス(２)を対向させて、図６の如く、スピーカボックス(２)のフック(23)(23)を機器本体(１)の開口(13)(13)に係合せしめる。これによって、機器本体(１)とスピーカボックス(２)とが互いに連結される。但し、該連結状態においては、機器本体(１)とスピーカボックス(２)とは互いに上下方向の相対移動が可能であり、確実な連結状態とはなっていない。
【００１７】
次に、図５の如くスピーカボックス(２)の扉(３)を閉じる。これによって、扉(３)の突片(32)が機器本体(１)の凹部(14)と係合し、機器本体(１)とスピーカボックス(２)は上下方向の相対移動が不能に拘束されることになる。
この結果、機器本体(１)とスピーカボックス(２)は、図６の如く、フック(23)と開口(13)の係合によって、互いに離間する方向と前後にずれる方向の相対移動が不能となると同時に、機器本体(１)とスピーカボックス(２)は、突片(32)と凹部(14)の係合によって、互いに上下にずれる方向の相対移動が不能となる。この様にして、機器本体(１)とスピーカボックス(２)は何れの方向にも相対移動が不能となって、確実な連結状態が実現される。
【００１８】
機器本体(１)とスピーカボックス(２)の連結を切り離す際には、先ずスピーカボックス(２)の扉(３)を開き、突片(32)と凹部(14)の係合を解除した後、スピーカボックス(２)を僅かに持ち上げて、機器本体(１)の開口(13)からスピーカボックス(２)のフック(23)を離脱させる。
【００１９】
本発明に係るディスクプレーヤによれば、先ず機器本体(１)にスピーカボックス(２)を連結する際には、単にスピーカボックス(２)のフック(23)を機器本体(１)の開口(13)に挿入して引っ掛ける作業を行なえばよいので、その作業は容易である。次に扉(３)を閉じれば、それによって扉(３)の突片(32)が機器本体(１)の凹部(14)に係合し、機器本体(１)とスピーカボックス(２)が何れの方向にも相対移動不能に拘束されるので、特別な連結作業は不要である。従って、従来のステー等を用いた連結構造よりも連結作業が容易となる。
【００２０】
又、スピーカボックス(２)に突設すべきフック(23)(23)や扉(３)に突設すべき突片(32)、並びに機器本体(１)に形成すべき開口(13)(13)及び凹部(14)は、それぞれスピーカボックス(２)及び機器本体(１)のキャビネット成型時に同時に樹脂成型することが出来、従来のステーの如き別部品は不要であるので、部品点数が少なくなり、これによってコストダウンを図ることが出来る。
【００２１】
更に、スピーカボックス(２)の扉(３)によって覆われる面に、スピーカボックス組立用の複数のネジ孔(図示省略)が露出することになったとしても、これらのネジ孔は、扉(３)を閉じることにより該扉(３)によって覆われるため、外部に露出することはない。
【００２２】
尚、本発明の各部構成は上記実施の形態に限らず、特許請求の範囲に記載の技術的範囲内で種々の変形が可能である。例えば機器本体(１)とスピーカボックス(２)の対向部に設ける連結構造や、扉(３)と機器本体(１)の対向部に設けるべき係合構造は、上述の構成に限らず、周知の種々の構造を採用することが出来る。又、扉(３)はケーブル収容室(22)を塞ぐものに限らず、種々の目的を有するものであってもよい。
【図面の簡単な説明】
【００２３】
【図１】本発明に係るディスクプレーヤの斜視図である。
【図２】開閉蓋及び扉を開いた状態の同上の斜視図である。
【図３】該ディスクプレーヤの背面図である。
【図４】機器本体とスピーカボックスの連結構造及び係合構造を示す斜視図である。
【図５】機器本体とスピーカボックスの連結状態を示す水平断面図である。
【図６】同上の垂直断面図である。
【図７】従来のディスクプレーヤの背面図である。
【符号の説明】
【００２４】
(１)  機器本体
(13)  開口
(14)  凹部
(16)  側面
(２)  スピーカボックス
(21)  側面
(22)  ケーブル収容室
(23)  フック
(３)  扉
(32)  突片
【図１】
2005295434.tif 000003
【図２】
2005295434.tif 000004
【図３】
2005295434.tif 000005
【図４】
2005295434.tif 000006
【図５】
2005295434.tif 000007
【図６】
2005295434.tif 000008
【図７】
2005295434.tif 000009